(57)【特許請求の範囲】
【請求項１】
成長基板と、
前記成長基板上に形成され、第１の導電型下部半導体層と、前記第１の導電型下部半導体層上に配置された第２の導電型上部半導体層と、前記第２の導電型上部半導体層の少なくとも一部が除去されることにより露出される前記第１の導電型下部半導体層上に形成される下部電極と、前記第２の導電型上部半導体層上に配置される上部電極と、をそれぞれ備え、第１の発光セルアレイを形成し第１の方向に隣接して配置される第１の発光セル及び第２の発光セル、並びに第２の発光セルアレイを形成し前記第１の方向と垂直の方向である第２の方向に前記第２の発光セルと隣接して配置される第３の発光セルと、
前記成長基板上に形成される、前記上部電極及び前記上部電極の一部を露出させる絶縁層と、前記絶縁層を覆い前記第１の発光セル及び前記第２の発光セルを電気的に連結し、前記第１の発光セルと前記第２の発光セルを直列に接続する配線と
を備え、
前記各発光セルそれぞれにおいて、前記上部電極と前記下部電極は、対角方向に対向するコーナー部に配置され、
前記各発光セルそれぞれにおいて、前記上部電極と前記下部電極を結ぶ線分は、その発光セルと前記第１の方向又は前記第２の方向に隣接する発光セルの前記上部電極と前記下部電極を結ぶ線分と対称であり、
前記第２の発光セルの前記下部電極は、前記第２の発光セルの前記下部電極に隣接する前記第１の発光セルの上部電極に前記配線により接続され、
前記第２の発光セルの下部電極は、前記第２の発光セルの前記下部電極に隣接する前記第３の発光セルの上部電極に電気的に接続され、
前記第１の発光セルの前記上部電極と前記下部電極を結ぶ線分は、対向する前記第３の発光セルの前記上部電極と前記下部電極を結ぶ線分の延長線上にあることを特徴とする発光素子。
【請求項２】
前記第２の導電型上部半導体層と前記上部電極との間に配置されている透明電極層を有することを特徴とする請求項１記載の発光素子。
【請求項３】
成長基板と、
前記成長基板上に形成され、互いに隣接する直列連結された第１及び第２の発光セルそれぞれを備え、互いに逆並列に接続されて交流電源からの順方向電圧及び逆方向電圧により動作する第１及び第２の発光セルアレイと、
前記第１及び第２の発光セルそれぞれを互いに直列に接続し、前記成長基板上に形成される配線と、を備え、
前記第１及び第２の発光セルそれぞれは、第１の導電型下部半導体層と、前記第１の導電型下部半導体層上に配置された第２の導電型上部半導体層と、前記第２の導電型上部半導体層の少なくとも一部が除去されることにより露出される前記第１の導電型下部半導体層上に形成される下部電極と、前記第２の導電型上部半導体層上に前記下部電極と対角方向に対向するコーナー部に配置された上部電極と、を備え、
前記配線は、前記成長基板上に形成される、前記上部電極及び前記上部電極の一部を露出させる絶縁層を覆い前記第１の発光セルの前記上部電極及び第２の発光セルの前記下部電極を電気的に連結し前記第１の発光セルと前記第２の発光セルを直列に接続し、
前記第１の発光セルアレイにおいて、前記第１の発光セルの前記上部電極及び第２の発光セルの前記下部電極は、第１の線分上に配置され、
前記第１の発光セルアレイにおいて、前記第１の発光セルの前記上部電極は、前記第２の発光セルの前記下部電極と隣接し、
前記第２の発光セルアレイにおいて、前記第１の発光セルの前記上部電極及び第２の発光セルの前記下部電極は、前記第１の線分と平行な第２の線分上に配置され、
前記第２の発光セルアレイの前記第１の発光セルの前記上部電極及び前記第１の発光セルアレイの前記第２の発光セルの前記下部電極は隣接し、前記第２の発光セルアレイの前記第１の発光セルの前記上部電極と前記第１の発光セルアレイの前記第２の発光セルの前記下部電極を電気的に接続し、前記第１の線分と垂直な第３の線分上に配置される連結手段を更に備えることを特徴とする発光素子。
【請求項４】
前記成長基板上に形成され、直列に連結された複数の第３の発光セルを備え、第２の発光セルアレイと逆並列に連結された第３の発光セルアレイを更に備え、前記順方向電圧の印加の際に、前記第１の発光セルと前記第３の発光セルが発光することを特徴とする請求項３記載の発光素子。
【請求項５】
前記連結手段は、前記順方向電圧による動作時に、前記第２の発光セルアレイに逆電圧による過電圧が印加されることを防止することを特徴とする請求項３に記載の発光素子。
【発明の詳細な説明】
【技術分野】
【０００１】
本発明は、発光ダイオードに係り、より詳しくは、上部電極パッド及び下部電極が発光ダイオードに占める領域を小さく設計することにより、上部電極パッドと下部電極により、発光ダイオードから放出される光が遮断される領域を減らし、発光領域がさらに確保されるようにすることにより、発光効率を改善させた交流駆動型の発光ダイオードに関する。
【背景技術】
【０００２】
窒化ガリウム（ＧａＮ）系発光ダイオードが、約１０年間適用されてきている。ＧａＮ系ＬＥＤは、ＬＥＤ技術を相当程度変化させており、現在、総天然色ＬＥＤ表示素子、ＬＥＤ交通信号機、白色ＬＥＤ等、様々な応用に用いられている。最近、高効率白色ＬＥＤは、蛍光ランプを代替するものと期待されており、特に、白色ＬＥＤの効率は、通常の蛍光ランプの効率とほぼ同水準に達している。
【０００３】
一般に、発光ダイオードは、順方向電流により光を放出し、直流電源の供給を必要とする。したがって、発光ダイオードは、交流電源に直接連結して使用する場合、電流の方向によりオン／オフを繰り返し、その結果、連続的に光を放出せず、逆方向電流により破損しやすいという問題点があった。
【０００４】
このような発光ダイオードの問題点を解決して、高電圧交流電源に直接連結して使用可能な発光ダイオードが、特許文献１の国際特許文献２に「発光成分を有する発光素子」（LIGHT-EMITTING DEVICE HAVING LIGHT-EMITTING ELEMENTS）という題目で、サカイ等（Sakai et. al.）により開示されたことがある。
前記特許文献２によると、ＬＥＤ（発光セル）がサファイア基板のような単一の絶縁性基板上に二次元的に直列連結され、ＬＥＤアレイを形成する。このような二つのＬＥＤアレイが、前記サファイア基板上にて逆並列で連結される。
【特許文献１】特開２００４−６５８２公報
【特許文献２】国際公開第ＷＯ２００４／０２３５６８号パンフレット
【０００５】
窒化ガリウム系発光ダイオードは、一般に、サファイアのような基板上にエピ層を成長させて形成され、Ｎ型半導体層、Ｐ型半導体層、及びこれらの間に介在された活性層を有する。一方、Ｎ型半導体層上にｎ電極が形成され、Ｐ型半導体層上にｐ電極が形成される。発光ダイオードは、電極を介して外部電源に電気的に連結されて駆動される。この際、電流は、ｐ電極から前記半導体層を経てｎ電極に流れる。
【０００６】
一般に、Ｐ型半導体層は、高比抵抗を有するので、Ｐ型半導体層内で電流が均一に分散されず、Ｐ電極の形成部分に電流が集中して流れる問題点が生じる。電流集中は、発光領域の減少につながり、結果的に発光効率を低下させる。このような問題点を解決するために、Ｐ型半導体層上に低比抵抗の透明電極層を形成し、電流分散を図る技術が用いられている。ｐ電極から流入した電流が透明電極層で分散され、前記Ｐ型半導体層に流入するので、発光ダイオードの発光領域を広げることができる。
【０００７】
しかしながら、透明電極層は光を吸収するので、その厚さが制限され、したがって、電流分散には限界があった。特に、高出力のために用いられる約１ｍｍ２以上の大面積の発光ダイオードにおいて、透明電極層を用いた電流分散は、限界があった。
【０００８】
一方、電流は、半導体層を通じてｎ電極に流れる。これにより、Ｎ型半導体層におけるｎ電極の形成部分に電流が集中し、これは、半導体層内で流れる電流が、ｎ電極の形成領域付近に集中することを意味する。したがって、Ｎ型半導体層内の電流集中を改善することができる発光ダイオードがさらに要求される。
【０００９】
又、一般に、発光ダイオードに形成されるｐ型電極及びｎ型電極は、発光ダイオードから放出される光を遮断するようになる。これにより、発光ダイオードの光効率を向上させることができるｐ型電極及びｎ型電極の構造に対する改善が必要である。
【発明の開示】
【発明が解決しようとする課題】
【００１０】
本発明は、上記問題点に鑑みてなされたものであり、発光ダイオードの動作時に流れる電流を均一に分散させ、光効率を向上させることができる電極構造を有する交流駆動型の発光ダイオードを提供することを目的とする。
【課題を解決するための手段】
【００１１】
上記の目的を達成するため、本発明の一側面によると、基板と、前記基板上に複数個の発光セルが直列連結された少なくとも一つの直列アレイとを備え、前記発光セルは、基板上に形成された第１の導電型化合物半導体層からなる下部半導体層と、前記下部半導体層上に形成された第２の導電型化合物半導体層からなる上部半導体層と、前記下部半導体層と前記上部半導体層との間に介在された活性層と、前記基板の第１のコーナー部分の露出した前記下部半導体層上に形成された下部電極と、前記上部半導体層上に形成された上部電極層と、前記基板の第２のコーナー部分の前記上部電極層上に形成された上部電極パッドと、を備え、前記上部電極パッド及び前記下部電極は、互いに対角線上のコーナー部にそれぞれ配置され、それぞれの発光セルは、隣接した発光セルに対して、前記上部電極パッド及び前記下部電極の配置が互いに対称構造を有して配列されている交流駆動型の発光ダイオードを提供する。
【００１２】
好ましくは、前記少なくとも一つの直列アレイは、互いに逆並列で連結された二つの直列アレイを有してもよい。
【００１３】
好ましくは、前記互いに逆並列で連結された二つの直列アレイは、いずれか一方の直列アレイ内における任意の位置にある少なくとも一つの発光セルが、他方の直列アレイ内におけるそれに対応する発光セルと電気的に連結され、発光ダイオードの動作時に特定の直列アレイに逆方向電圧による過電圧が印加されることを防止することができる。
【００１４】
好ましくは、前記上部電極層は、透明電極層である。
【００１５】
好ましくは、前記透明電極層は、インジウムスズ酸化物（ＩＴＯ）膜またはＮｉ／Ａｕで形成される。
【００１６】
好ましくは、前記上部電極パッドは、Ｎｉ、Ｃｒ、Ｐｄ、Ｐｔ、Ｗ、Ａｌより選ばれた少なくとも一つからなってもよい。
【００１７】
好ましくは、前記上部電極パッドは、少なくとも一つの層または合金層からなってもよい。
【００１８】
好ましくは、前記下部電極は、Ｎｉ、Ｃｒ、Ｐｄ、Ｐｔ、Ｗ、Ａｌより選ばれた少なくとも一つからなってもよい。
【００１９】
好ましくは、前記下部電極は、少なくとも一つの層または合金層からなってもよい。
【００２０】
好ましくは、 前記活性層は、ＩｎｘＧａ１−ｘＮ（０＜ｘ＜１）井戸層及びＩｎｘＧａ１−ｘＮ（０≦ｘ＜１）バリア層を有する単一または多重量子井戸構造を含む。
【００２１】
好ましくは、前記ＩｎｘＧａ１−ｘＮ（０＜ｘ＜１）井戸層は、前記ＩｎｘＧａ１−ｘＮ（０≦ｘ＜１）バリア層に比べてＩｎの含量がさらに大きい。
【００２２】
好ましくは、前記第２の導電型化合物半導体層は、ＡｌｘＧａ１−ｘＮ（０≦ｘ＜１）を含む。
【００２３】
本発明の他の側面によると、電気的に直列連結された 少なくとも二つの単一チップを含むが、それぞれの前記単一チップは、基板と、前記基板上に複数個の発光セルが直列連結された少なくとも一つの直列アレイとを備え、前記発光セルは、基板上に形成された第１の導電型化合物半導体層からなる下部半導体層と、前記下部半導体層上に形成された第２の導電型化合物半導体層からなる上部半導体層と、前記下部半導体層と前記上部半導体層との間に介在された活性層と、前記基板の第１のコーナー部分の露出した前記下部半導体層上に形成された下部電極と、前記上部半導体層上に形成された上部電極層と、前記基板の第２のコーナー部分の前記上部電極層上に形成された上部電極パッドと、を備え、前記上部電極パッド及び前記下部電極は、互いに対角線上のコーナー部にそれぞれ配置され、それぞれの発光セルは、隣接した発光セルに対して、前記上部電極パッド及び前記下部電極の配置が互いに対称構造を有して配列されている交流駆動型の発光ダイオードを提供する。
【００２４】
好ましくは、前記少なくとも一つの直列アレイは、互いに逆並列で連結された二つの直列アレイを有してもよい。
【００２５】
好ましくは、前記 少なくとも二つの単一チップは、それぞれのパッケージに実装され、ボンディングワイヤを介して直列連結されてもよい。
【００２６】
好ましくは、前記 少なくとも二つの単一チップは、それぞれのパッケージに実装され、前記パッケージは、直列連結されてもよい。
【発明の効果】
【００２７】
本発明によると、上部電極パッド及び下部電極が発光ダイオードに占める領域を小さく設計することにより、上部電極パッド及び下部電極により、発光ダイオードから放出される光が遮断される領域を減らし、発光領域がさらに確保されるようにすることにより、発光効率を改善することができる。
また、発光ダイオードの上部電極パッド及び下部電極を互いに対向するコーナー部に配置することにより、電流分散を最大化することができる。
【００２８】
さらに、交流発光ダイオードの安定した動作のために、発光セル間に電気的に連結する場合も、各発光セルの上部電極パッド及び下部電極が各コーナーのコーナー側に配置されることにより、任意の位置にある発光セルの上部電極パッドと、当該発光セルに隣接した他の発光セルの下部電極との間に、最短の経路で連結回路を構成することができ、交流駆動型の発光ダイオードの工程を簡素化させ、信頼性を向上させることができる。
【発明を実施するための最良の形態】
【００２９】
以下、添付した図面に基づき、本発明の実施例について詳述する。以下に紹介される実施例は、本発明の思想を当業者に充分伝達するために、例として提供されるものである。したがって、本発明は、後述する実施例に限定されず、他の形態に具体化され得る。なお、図面において、構成要素の幅、長さ、厚さ等は、便宜のために誇張して表現されることもある。明細書の全体にわたって、同一の参照番号は、同一の構成要素を示す。
【００３０】
図１は、本発明の一実施例による電極構造を有する単一発光セルからなる発光ダイオードを説明するための平面図であり、図２は、図１のＡ−Ａ線による断面図である。図１及び図２に示した本発明の一実施例による電極構造を有する単一発光セルからなる発光ダイオードを説明するのに用いられるそれぞれの技術的な構造及び特性は、特に断りがない限り、図３乃至図９と関連して後述する様々な実施例において適応的に使用される。
【００３１】
図１及び図２を参照すると、本発明の一実施例による電極構造を有する単一発光セルからなる発光ダイオード１ａは、基板５１上に、第１の導電型下部半導体層５５、活性層５７、及び第２の導電型上部半導体層５９を有する。
以下の図面において、発光ダイオード１ａは、本願発明の基本的な趣旨を逸脱しない範囲内で、適応的に発光セル１として示す。
【００３２】
活性層５７は、井戸層及びバリア層を有する単一または多重量子井戸層構造を有してもよく、要求される発光波長により、その物質及び組成が選択される。例えば、活性層５７は、窒化ガリウム系の化合物半導体で形成されてもよい。また、活性層５７は、例えば、ＩｎｘＧａ１−ｘＮ（０＜ｘ＜１）井戸層及びＩｎｘＧａ１−ｘＮ（０≦ｘ＜１）バリア層を有する単一または多重量子井戸構造を含んでなってもよい。
前記ＩｎｘＧａ１−ｘＮ（０＜ｘ＜１）井戸層は、前記ＩｎｘＧａ１−ｘＮ（０≦ｘ＜１）バリア層に比べてＩｎの含量がさらに大きく形成され得る。
【００３３】
一方、下部及び上部半導体層５５、５９は、活性層５７に比べてバンドギャップの大きい物質で形成され、窒化ガリウム系の化合物半導体で形成されてもよい。例えば、下部半導体層５５を構成する第２の導電型化合物半導体層は、ＡｌｘＧａ１−ｘＮ（０≦ｘ＜１）を含んでなってもよい。
【００３４】
一方、下部半導体層５５と基板５１との間に、バッファ層５３が介在してもよい。バッファ層５３は、基板５１と下部半導体層５５の格子不整合を緩和させるために採用される。
【００３５】
上部半導体層５９は、図２に示すように、下部半導体層５５の一部領域の上部に位置し、活性層５７は、上部半導体層５９と下部半導体層５５との間に介在される。また、上部半導体層５９上に上部電極層６１が位置してもよい。上部電極層６１は、透明電極層、例えば、インジウムスズ酸化物（ＩＴＯ）膜またはＮｉ／Ａｕ等の物質で形成されてもよい。
【００３６】
一方、基板５１の第１のコーナー（図１において、左下コーナー）部分の露出した下部半導体層５５上に下部電極６５が位置する。一方、上部半導体層５９上に上部電極層６１が形成され、基板の第２のコーナー（図１において、右上コーナー）部分の上部電極層６１上に上部電極パッド６４が位置する。上部電極パッド６４は、リフトオフ技術を用いて形成されてもよく、Ｎｉ、Ｃｒ、Ｐｄ、Ｐｔ、Ｗ、Ａｌより選ばれた少なくとも一つからなってもよく、少なくとも一つの層または合金層からなってもよい。
【００３７】
下部半導体層５５がＮ型である場合、下部電極６５は、リフトオフ技術を用いてＴｉ／Ａｌで形成されてもよい。それ以外にも、下部電極６５は、Ｎｉ、Ｃｒ、Ｐｄ、Ｐｔ、Ｗ、Ａｌより選ばれた少なくとも一つからなってもよく、少なくとも一つの層または合金層からなってもよい。
【００３８】
上部電極層６１は、透明電極層、例えば、ＩＴＯまたはＮｉ／Ａｕで形成され、透光性を有し、さらに、上部半導体層５９にオーム接触され、接触抵抗を低くする。しかし、上部電極パッド６４は、透光性がなく、また、上部半導体層５９にオーム接触されない。上部電極層６１が上部電極パッド６４と上部半導体層５９との間に形成されていることにより、上部電極パッド６４の下方に電流が集中することを防止することができ、発生した光が上部電極パッド６４により吸収され損失することを防止することができる。
【００３９】
これに加えて、上部半導体層５９のコーナー部に比較的小さな面積で上部電極パッド６４が形成されることにより、上部半導体層５９で電流分散を改善することができる。
さらに、上部電極パッド６４及び下部電極６５は、基板５１の互いに対向するコーナー部にそれぞれ位置するように配置されている。これにより、上部電極パッド６４を通じて供給される電流が上部電極層６１内に均一に分散され得る。
【００４０】
図３は、本発明の実施例により、図１に示した発光セルの直列アレイを有する発光ダイオードを説明するための概略図である。直列アレイは、単一チップ５０内に配置される。
図３を参照すると、単一チップ５０は、基板５１を含む。基板５１は、絶縁基板であり、または、上面に絶縁層を有する導電性基板であってもよい。基板５１上に複数個の発光セル１が配置される。発光セル１は、配線により互いに直列連結され、直列アレイ５２を形成する。直列アレイ５２の両端部にボンディングパッド７１が配置されてもよい。ボンディングパッド７１は、直列アレイ５２の両端部にそれぞれ電気的に連結される。
【００４１】
本発明の実施例において、単一チップ５０内の発光セルは、単一基板上で全て直列連結されてもよい。したがって、単一基板上に発光セル１を形成する工程、及び前記発光セルを連結する配線を形成する工程が単純化される。
【００４２】
図４は、本発明の実施例で用いられる発光セルを説明するための部分断面図であって、ステップカバー工程で形成された配線により発光セルが直列連結されたことを説明するための部分断面図である。しかし、ステップカバー工程以外にも、エアブリッジ工程で形成された配線により発光セルを直列連結してもよい。
【００４３】
図３を参照すると、基板５１上に複数個の発光セル１が互いに離隔して位置する。発光セルのそれぞれは、第１の導電型化合物半導体層からなる下部半導体層５５と、活性層５７と、及び第２の導電型化合物半導体層からなる上部半導体層５９と、を有する。活性層５７は、層及びバリア層を有する単一または多重量子井戸構造を有してもよく、要求される発光波長により、その物質及び組成が選択される。例えば、活性層５７は、窒化ガリウム系の化合物半導体で形成されてもよい。一方、下部及び上部半導体層５５、５９は、活性層５７に比べてバンドギャップが大きい物質で形成され、窒化ガリウム系の化合物半導体で形成されてもよい。
【００４４】
一方、下部半導体層５５と基板５１との間にバッファ層５３が介在されてもよい。バッファ層５３は、基板５１と下部半導体層５５の格子不整合を緩和させるために採用される。バッファ層５３は、図示のように、互いに離隔されてもよいが、これに限定されるものではなく、バッファ層５３が絶縁性であるか、または、抵抗の大きい物質で形成された場合、互いに連続的であってもよい。
【００４５】
上部半導体層５９は、図示のように、下部半導体層５５の一部領域の上部に位置し、活性層は、上部半導体層５９と下部半導体層５５との間に介在される。また、上部半導体層５９上に上部電極層６１が位置してもよい。上部電極層６１は、透明電極層、例えば、インジウムスズ酸化物膜（ＩＴＯ）またはＮｉ／Ａｕ等の物質で形成されてもよい。
【００４６】
一方、配線８７が発光セル１を電気的に連結する。配線８７は、一つの発光セルの下部半導体層５５と、それに隣接した発光セルの上部電極層６１とを連結する。配線は、図示のように、上部電極層６１上に形成された上部電極パッド６４と、下部半導体層５５の露出した領域上に形成された下部電極６５とを連結することができる。
【００４７】
発光セル１を連結する配線は、ステップカバー工程で形成されてもよい。すなわち、配線８７を接触させるための部分を除いて、発光セルの全層及び基板５１は、絶縁層８５で覆われる。また、配線８７が、絶縁層８５上でパターニングされ、発光セルを電気的に連結する。
例えば、絶縁層８５は、上部電極パッド６４及び下部電極６５を露出させる開口部を有し、配線８７は、開口部を通じて、隣接した発光セルの上部電極パッド６４及び下部電極６５を互いに連結して発光セルを直列連結する。配線８７により、単一基板５１上で発光セルが直列連結された直列アレイ（図３の５２）が形成される。
【００４８】
以上、基板上に一つの直列アレイを有する単一チップを用いた交流駆動型の発光ダイオードについて説明したが、基板上に直列アレイが逆並列で連結された単一チップを用いて交流駆動型の発光素子を構成してもよい。
【００４９】
図５は、単一基板上に逆並列で連結された直列アレイを有する単一チップ１００を用いた交流駆動型の発光ダイオードを説明するための概略図である。
図５を参照すると、基板５１上に発光セル１が直列連結された二つの直列アレイ５２ａ、５２ｃが配置される。直列アレイ５２ａ、５２ｃは、ボンディングパッド７１ａ、７１ｂ間で互いに逆並列で連結される。
【００５０】
このような単一チップ１００は、連結手段（図示せず）により互いに直列で連結される場合、少なくとも二つのアレイ群が形成され得る。前記連結手段は、ボンディングパッドを直接連結するボンディングワイヤであってもよい。すなわち、単一チップをそれぞれのパッケージに実装し、それぞれのパッケージに実装された単一チップをボンディングワイヤで互いに連結することにより、数個のアレイ群を形成することができる。また、上述したように、それぞれの単一チップ１００をそれぞれのパッケージに実装し、各パッケージを直接連結することにより、数個のアレイ群を形成することができ、それ以外にも、単一チップとパッケージを用いて直列アレイ群を多様に形成することができる。
【００５１】
一方、同一の基板上に形成された直列アレイ５２ａ、５２ｃ間で対応する発光セル１は、連結手段１０５により電気的に連結される。すなわち、互いに逆並列で連結された二つの直列アレイ５２ａ、５２ｃは、いずれか一方の直列アレイにおける任意の位置にある少なくとも一つの発光セルが、他方の直列アレイ内におけるそれに対応する発光セルと連結手段１０５を介して電気的に連結される。前記連結手段１０５は、逆方向電圧が印加された直列アレイ内の発光セルに過電圧が印加されることを防止する。前記連結手段１０５は、それぞれの直列アレイ５２ａ、５２ｃ内における隣接した発光セル１が互いに共有する第１の導電型下部半導体層を互いに連結してもよく、これとは異なり、それぞれの直列アレイ５２ａ、５２ｃ内における隣接した発光セルを直列で連結するために形成された配線を互いに連結してもよい。
【００５２】
本実施例によると、直列連結された発光セルを含む直列アレイ５２ａ、５２ｃが互いに逆並列で連結された単一チップ１００を、数個直列連結し、数個のアレイ群を形成することにより、単一基板上の直列アレイ内の発光セルの数を減少させることができる。
【００５３】
図６は、本発明の一実施例による発光ダイオードの電極構造を示す写真である。
図６を参照すると、基板上に数個の発光セルがアレイで配置されている。各発光セルは、ステップカバー工程を通じて、連結手段により電気的に互いに連結されている。
【００５４】
各発光セルに設けられる上部電極パッド及び下部電極は、互いに対向するコーナー部に配置されており、各発光セルにおいて上部電極パッド及び下部電極が占める比率が比較的小さいことがわかる。また、隣接セルと互いに対称構造で配置されていることがわかる。すなわち、各発光セル内の前記上部電極パッド及び前記下部電極は、互いに対角線上のコーナー部にそれぞれ配置され、それぞれの発光セルは、隣接した発光セルに対して、上部電極パッド及び下部電極の配置が互いに対称構造を有して配列されている。
【００５５】
各発光セルに設けられる上部電極パッド及び下部電極は、互いに対向するコーナー部に配置されていることにより、二つの発光セルを電気的に連結するとき、連結手段の長さが最小となるように、各発光セルを配置することが可能である。
例えば、第１の発光セル１、第２の発光セル２、第３の発光セル３が並んで配置されている。この際、第１の発光セル１には、左下部コーナーに下部電極が配置されており、右上部コーナーに上部電極パッドが配置されている。一方、第２の発光セル２には、左上部コーナーに下部電極が配置されており、右下部に上部電極パッドが配置されている。又、第３の発光セル３には、左下部コーナーに下部電極が配置されており、右上部に上部電極パッドが配置されている。
【００５６】
更に、第４の発光セル４には、左上部コーナーに上部電極パッドが配置されており、右下部に下部電極が配置されている。第３の発光セル３及び第４の発光セル４は、連結手段により連結されている。
このように、各発光セル毎に互いに対向するコーナー部に上部電極パッド及び下部電極が配置されていることにより、交流発光ダイオードの製造工程を簡素化させ、信頼性を向上させることができる。
【００５７】
また、各発光セル毎に互いに対向するコーナー部に配置された上部電極パッド及び下部電極の大きさが小さいことにより、上部電極パッド及び下部電極により、発光ダイオードから放出される光が遮断される領域が小さく、発光領域が広い。
【００５８】
図７は、本発明の一実施例による発光ダイオードの電極構造と比較するための、比較例による発光ダイオードの電極構造を示す写真である。
図７を参照すると、比較例による発光ダイオードに配置された各発光セルには、上部電極パッド及び下部電極が互いに対向する面の周縁に長く形成されている。図６に比べて、上部電極パッド及び下部電極が発光セルに占める比率が遥かに多いことがわかる。したがって、上部電極パッド、下部電極、及び配線が占める領域が広いことにより、相対的に発光領域が減少したことがわかる。
【００５９】
図８は、本発明の一実施例による発光ダイオードの発光効率を示すグラフであり、図９は、比較例による発光ダイオードの発光効率を示すグラフである。
すなわち、図６に示す本発明の一実施例による発光ダイオードに設けられる各発光セルから出力される光パワーを示すものであり、光パワー別発光セルの個数を示している。
【００６０】
また、図９は、図７に示した比較例による発光ダイオードに設けられる各発光セルから出力される光パワーを示すものであり、光パワー別発光セルの個数を示している。この際、図６及び図７に示した各発光セルの大きさを同一にした。
図８を参照すると、本発明の一実施例による発光ダイオードに設けられた各発光セルの光パワーは、平均１３５ｍＷと測定された。一方、図９を参照すると、比較例による発光ダイオードに設けられた各発光セルの光パワーは、平均１１９ｍＷと測定された。
このような比較結果から、本発明の一実施例による発光ダイオードが、比較例による発光ダイオードに比べて発光効率に優れていることがわかる。
【００６１】
以上の本発明は、上述した実施例に限定されず、当業者により様々な変形及び変更が可能であり、これは、添付の請求項において定義される本発明の趣旨と範囲に含まれる。
例えば、図３乃至図５では、直列連結された発光セルを含む直列アレイの様々な構造について説明した。しかし、各図面には示されていないが、各直列アレイ内に含まれている各発光セル１は、図６乃至図９と関連して詳細に説明された電極構造を有している。すなわち、各発光セル１内に形成されている上部電極パッド及び前記下部電極は、対角線位置のコーナーにそれぞれ配置され、各発光セル１は、隣接した発光セルに対して、上部電極パッド及び下部電極の配置が互いに対称構造を有して配列されている。このような電極の構造による効果は、図６乃至図９と関連して充分説明された。
【産業上の利用可能性】
【００６２】
本発明は、上部電極パッド及び下部電極が発光ダイオードに占める領域を小さく設計することができると同時に、発光ダイオードの動作時に流れる電流を均一に分散させ、光効率を向上させる電極構造を有する発光ダイオードに適用できる。
【図面の簡単な説明】
【００６３】
【図１】本発明の一実施例による電極構造を有する単一発光セルからなる発光ダイオードを説明するための平面図である。
【図２】図１のＡ−Ａ線による断面図である。
【図３】本発明の実施例により、図１に示した発光セルの直列アレイを有する発光ダイオードを説明するための概略図である。
【図４】本発明の実施例で用いられる発光セルを説明するための部分断面図である。
【図５】本発明の他の実施例による発光セルの直列アレイを説明するための概略図である。
【図６】本発明の一実施例による発光ダイオードの電極構造を示す写真である。
【図７】本発明の一実施例による発光ダイオードの電極構造と比較するための、比較例による発光ダイオードの電極構造を示す写真である。
【図８】本発明の一実施例による発光ダイオードの発光効率を示すグラフである。
【図９】比較例による発光ダイオードの発光効率を示すグラフである。
【符号の説明】
【００６４】
１      発光セル
１ａ    発光ダイオード
５０    単一チップ
５１    基板
５２、５２ａ、５２ｃ  直列アレイ
５３    バッファ層
５５    第１の導電型下部半導体層
５７    活性層
５９    第２の導電型上部半導体層
６１    上部電極層
６４    上部電極パッド
６５    下部電極
７１、７１ａ、７１ｂ  ボンディングパッド
８５    絶縁層
８７    配線
１００  単一チップ
１０５  連結手段
【図１】
0005490997.tif 000002
【図２】
0005490997.tif 000003
【図３】
0005490997.tif 000004
【図４】
0005490997.tif 000005
【図５】
0005490997.tif 000006
【図８】
0005490997.tif 000007
【図９】
0005490997.tif 000008
【図６】
0005490997.tif 000009
【図７】
0005490997.tif 000010